(57)【要約】      （修正有）【課題】入退室管理などゲート制御を確実に行えるアクティブタグを提供する。【解決手段】リーダ／ライタが発信するプローブ電波を受信し、これと局部発振周波数を合成してプローブ電波を所定の周波数に変換する。周波数変換後の受信電圧を測定し、Ａ／Ｄ変換してＣＰＵに入力する。ＣＰＵは受信電圧に応じてＩＤの発信周期を決定し、決定した時間値をセットしてタイマを起動する。これにより、タイマの制御でＣＰＵが一定の時間間隔でメモリをアクセスしてＩＤを読み出し、読み出したＩＤをリーダ／ライタに送信する。リーダ／ライタは、受信したＩＤの正当性を検証し、ＯＫであればコントローラにゲート制御などを行う制御信号を出力する。このとき、あらかじめゲート制御のタイミングを測るための基準周期を用意し、これとＩＤの発信周期を比較して一致したときに制御信号を出力する。【選択図】図１
2005321853.tif 000002
【特許請求の範囲】
【請求項１】
一定の発信周期でＩＤを発信する発信手段と、
質問器の発信電波を受信する受信手段と、
受信した質問器の発信電波の受信電圧を測定する測定手段と、
測定した受信電圧に応じて前記発信周期を変更する変更手段と、
を備えることを特徴とする発信周期可変型アクティブタグ。
【請求項２】
前記ＩＤの発信電波と質問器の発信電波の周波数が異なることを特徴とする請求項１記載の発信周期可変型アクティブタグ。
【請求項３】
前記質問器の発信電波が一時的に途切れたときは直前の発信周期を維持することを特徴とする請求項１記載の発信周期可変型アクティブタグ。
【請求項４】
前記質問器の発信電波が一定時間途切れたときはあらかじめ設定した発信周期に戻ることを特徴とする請求項１記載の発信周期可変型アクティブタグ。
【請求項５】
前記質問器の発信電波の周波数は１以上の周波数チャネルの中から選択可能であることを特徴とする請求項１記載の発信周期可変型アクティブタグ。
【請求項６】
前記測定手段が連続的に測定した受信電圧に応じて前記変更手段が前記発信周期を連続的に変化させることを特徴とする請求項１記載の発信周期可変型アクティブタグ。
【発明の詳細な説明】
【技術分野】
【０００１】
本発明は、ＩＤの発信周期を可変にした発信周期可変型アクティブタグに関する。
【背景技術】
【０００２】
ＩＤを自動発信するアクティブタグは、人や移動物に取り付けて電気錠や自動ドアの開閉を制御する入退室管理などのゲート制御を行う場合、パッシブ型に比べて通信距離が長いので質問器にかざすなどの操作が不要になり、荷物で両手がふさがれているときなどに便利である。
その反面、通信距離が長いのでＩＤを検知するタイミングが早く、人や移動物が遠く離れた位置にいても早い段階でゲートが開き、セキュリティの確保が難しくなる。
【０００３】
一方、アクティブタグは自らＩＤを発するので電池を内蔵し、電池交換もしくは充電を必要とする。
また、あらかじめ決められた周期でＩＤを発信し、発信周期を短くすると電池の消耗が速くなるので、通常の発信周期は例えば３〜３０秒とかなり長めに設定されている。
そのため、ＩＤを発信しない時間が長いのでＩＤを検知するタイミングが遅れ、人や移動物が近付いてもゲートが開かないことがある。
【発明の開示】
【発明が解決しようとする課題】
【０００４】
解決しようとする問題点は、従来のアクティブタグは適正なタイミングでゲート制御を行うのが難しく、ゲート制御が不確実になる点であり、本発明は、ゲート制御を確実に行えるアクティブタグを提供することを目的になされたものである。
【課題を解決するための手段】
【０００５】
本発明は、アクティブタグに一定の発信周期でＩＤを発信する発信手段と、質問器の発信電波を受信する受信手段と、受信した質問器の発信電波の受信電圧を測定する測定手段と、測定した受信電圧に応じて発信周期を変更する変更手段とを備えることを最も主要な特徴とする。
【発明の効果】
【０００６】
本発明は、質問器の発信電波の受信電圧に応じてアクティブタグのＩＤの発信周期を変化させるので、ＩＤの発信周期によってアクティブタグの接近度が判るようになる。
従って、ゲート制御を適正なタイミングで行えるようになる。
また、質問器に近付いたときだけＩＤの発信周期が短くなるので、大部分の時間を離れた場所で過ごすことの多いアクティブタグの電池消費に無駄がなくなる。
【発明を実施するための最良の形態】
【０００７】
以下、本発明の実施の形態について説明する。
【０００８】
図１に、本発明を実施した発信周期可変型アクティブタグのブロック図を示す。
発信周期可変型アクティブタグ１は、アンテナ共用器１１の受信側端子に接続する受信機１２、周波数シンセサイザ１３、受信電圧測定器１４からなる受信回路部と、送信側端子に接続する変調器１５、送信機１６からなる送信回路部と、ＣＰＵ１７、タイマ１８、メモリ１９からなる制御回路部で構成される。
【０００９】
発信周期可変型アクティブタグ１は以上のような構成で、リーダ／ライタ２が発信するプローブ電波をアンテナ共用器１１を経由して受信機１２が受信し、これに可変周波数発振器である周波数シンセサイザ１３を電気的にコントロールして得られた局部発振周波数を合成してプローブ電波を所定の周波数に変換する。
プローブ電波は、リーダ／ライタ２毎に異なる周波数チャネルが割り当てられており、受信するときはその中から目的のリーダ／ライタ２の周波数を選択する必要がある。
これにより、複数のリーダ／ライタ２を別々のゲートに配置して個別に発信周期可変型アクティブタグ１の発信周期を制御できるようにしている。
【００１０】
周波数変換された後、受信電圧測定器１４がプローブ電波の受信電圧を測定し、Ａ／Ｄ変換された受信電圧をＣＰＵ１７に入力する。
ＣＰＵ１７は、受信電圧に応じてＩＤの発信周期を決定し、決定した発信周期の時間値をセットしてハードウェアまたはソフトウェアのタイマ１８を起動する。
これにより、タイマ１８の制御でＣＰＵ１７が一定の時間間隔でメモリ１９をアクセスしてＩＤを読み出し、読み出したＩＤを変調器１５が変調し、変調したＩＤを送信機１６がアンテナ共用器１１を介してリーダ／ライタ２に送信する。
このときのＩＤの発信電波の周波数は、リーダ／ライタ２毎に周波数が異なるプローブ電波の周波数とは異なる周波数帯を使用する。
これにより、全ての発信周期可変型アクティブタグ１のＩＤの発信電波の周波数を共通にしてリーダ／ライタ２が複数の発信周期可変型アクティブタグ１のＩＤを認識できるようにする。
【００１１】
なお、リーダ／ライタ２からのプローブ電波が一時的に途切れたときは、ＣＰＵ１７はタイマ１８の更新を停止して途切れる直前の発信周期を維持する。
これにより、リーダ／ライタ２がプローブ電波を一時停止させてゲートに向かう発信周期可変型アクティブタグ１の発信周期を一時的に制御できるようになる。
また、リーダ／ライタ２からのプローブ電波が一定時間途切れたときは、ＣＰＵ１７はタイマ１８にあらかじめ設定した時間値をセットして所定の発信周期に戻す。
これにより、リーダ／ライタ２がプローブ電波を一定時間停止させてゲートを通過した発信周期可変型アクティブタグ１の発信周期をリセットできるようになる。
【００１２】
リーダ／ライタ２は、受信したＩＤの正当性を検証し、ＯＫであればコントローラ３にゲート制御などを行う制御信号を出力する。
このとき、あらかじめゲート制御のタイミングを測るための基準周期を用意し、これとＩＤの発信周期を比較して一致したときに制御信号を出力する。
これにより、ゲート制御のタイミングを適正にしてゲート制御を確実なものにすることができる。
【００１３】
自由空間では、図２に示すように、リーダ／ライタ２が発信するプローブ電波の送信電力Ｐｔ（Ｗ）が一定の場合、発信周期可変型アクティブタグ１の受信電圧Ｅ（Ｖ／ｍ）はリーダ／ライタ２と発信周期可変型アクティブタグ１の間の距離ｄ（ｍ）に反比例して減衰していく。
その結果、発信周期可変型アクティブタグ１がリーダ／ライタ２に近付いて距離ｄが短くなる（ｄ１＞ｄ２＞ｄ３となる）ほど、発信周期可変型アクティブタグ１の受ける受信電圧Ｅは大きくなる（Ｅ１＜Ｅ２＜Ｅ３となる）。
発信周期可変型アクティブタグ１はこの受信電圧Ｅを測定してＩＤの発信周期ｔを受信電圧Ｅに反比例させて短くする（ｔ１＞ｔ２＞ｔ３とする）。
以上の受信電圧Ｅの測定と発信周期ｔの短縮操作を連続的に行うと、ＩＤの発信周期ｔと距離ｄが直線比例するのでリーダ／ライタ２が発信周期可変型アクティブタグ１の位置を正確に検出できるようになる。そのため、ゲート制御の精度がより一層向上する。
【図面の簡単な説明】
【００１４】
【図１】本発明を実施した発信周期可変型アクティブタグのブロック図である。
【図２】距離ｄによる発信周期ｔの変化を示す図である。
【符号の説明】
【００１５】
１        発信周期可変型アクティブタグ
１１      アンテナ共用器
１２      受信機
１３      周波数シンセサイザ
１４      受信電圧測定器
１５      変調器
１６      送信機
１７      ＣＰＵ
１８      タイマ
１９      メモリ
２        リーダ／ライタ
３        コントローラ
【図１】
2005321853.tif 000003
【図２】
2005321853.tif 000004